(57)【要約】【課題】  チラシの印刷用データから、チラシ作成時に、過去のチラシから流用する商品を指定して、流用商品リストを作成するチラシ流用商品指定システムを提供する。【解決手段】  チラシ流用商品指定システム１５であって、新しいチラシを作成する際に過去チラシから流用する商品を指定する流用商品リストを提供するために、過去チラシの紙面を画面に表示するためのチラシ画像データデータ１４ａと、表示画面上のチラシ掲載商品から指定した流用商品を特定するための商品値組座標リストデータ１４ｂとを用いて、流用商品リストデータ１６を作成する、チラシ流用商品指定システム１５。【選択図】図１
2005338404.tif 000002
【特許請求の範囲】
【請求項１】
サーバー装置とクライアント装置がネットワーク接続されて構成されるチラシ流用商品指定システムであって、
前記サーバ装置は、
内蔵する記憶装置に、過去に印刷された複数のチラシ画像データと、チラシ画像上の商品の掲載領域と当該商品の識別記号を対応付けた商品値組み座標リストを前記チラシ画像データに対応させて記録しており、
前記クライアント装置に過去のチラシ画像データを呼び出すためのチラシ検索画面を提供するチラシ検索画面提供手段と、
前記検索したチラシ画像データをクライアント装置に提供するためのチラシ画像データ提供手段と、
前記クライアント装置が発信する座標データを受けて、前記商品値組み座標リストを参照して、商品識別記号を特定するための商品識別記号特定手段と、
特定した商品識別記号を一時的に保持し、保持した商品識別記号から流用商品リストを作成する流用商品リスト作成手段と、
を備えたサーバー装置であって、
前記クライアント装置は、
前記サーバ装置のチラシ画像データ提供手段から提供されたチラシ画像データを表示するチラシ画像表示手段と、
作業者が表示されたチラシ画面上で流用商品を指示した時の座標位置を検出して、この座標データを前記サーバー装置に送信するとともに流用商品指示の終了を通知する値組位置指定手段と、
を備えたクライアント装置であって、
クライアント装置に作業者が選択したチラシ画像データを表示させ、作業者が表示画面上の商品値組位置を指示することで、前記商品識別記号特定手段が商品識別記号を特定し、作業者が流用商品リスト作成を指示すると、前記流用商品リスト作成手段が保持していた商品識別記号に基づき、流用商品リストを出力するチラシ流用商品指定システム。
【請求項２】
過去に印刷されたチラシ画像データからチラシ画像上の商品の掲載領域と当該商品の識別記号を対応付けた商品値組み座標リストを作成する商品値組み座標リスト作成手段を備えた請求項１に記載のチラシ流用商品指定システム。
【請求項３】
チラシの印刷用データからチラシ画像データを作成するステップ、
チラシの印刷用データからチラシ画像上の商品の掲載領域と当該商品の識別記号を対応付けた商品値組み座標リストを作成するステップ、
前記チラシ画像データを作業者が使用するクライアント装置に転送するステップ、
作業者が、前記チラシ画像データを前記クライアント装置のディスプレイ画面に表示するステップ、
作業者がディスプレイ画面上に指示した1つ以上の位置情報を受付けるステップ、
受付けた位置情報を前記商品値組み座標リストの内容と照合して、商品識別記号を特定するステップ、
特定した商品識別記号から流用商品リストを作成するステップ、
を含んだ手順でなされるチラシ流用商品指定方法。
【発明の詳細な説明】
【技術分野】
【０００１】
本発明は、チラシの印刷用データから、チラシ作成時に、過去のチラシから流用する商品を指定して、流用商品リストを作成するチラシ流用商品指定システム及びチラシ流用商品指定方法に関するものである。
【背景技術】
【０００２】
従来、定期的に発行するチラシを作成するときに、過去のチラシで使用した商品値組や画像を流用するときには、オペレータは、過去チラシの割付データを呼び出して紙面イメージを画面に編集してから、流用する商品を指定することで、必要な部分の商品情報データや割付データを取り出し、新しい印刷用のデータを作成していた。
【０００３】
たとえば、特許文献１には、過去のチラシの写真や商品値組を利用して、流用する商品情報を検索するに適した商品情報データベースを提供する技術が開示されている。
【特許文献１】特開第２０００−３０６０８０号公報
【発明の開示】
【発明が解決しようとする課題】
【０００４】
しかし、前述した従来の流用方法では、チラシの紙面を再現するために、オペレータは、まず、商品情報データベースに情報を登録しておく必要があった。つまり、商品情報データベースの準備ができて、ようやく、過去チラシの流用商品を指定する作業が行えた。
【０００５】
本発明はこのような従来技術を考慮してなされたものであって、本発明の課題は、過去のチラシから、流用商品を指定するにあたって、商品情報データベースシステムに過去チラシの商品値組情報や商品情報のデータが登録されていなくても、流用商品指示作業と流用商品リストの作成が可能になり、チラシ商品情報の準備作業やチラシ作成作業の作業能率が向上する、チラシ流用商品指定方法およびこの方法を利用したチラシ流用商品指定システムを提供することである。
【課題を解決するための手段】
【０００６】
本発明は、以下のような解決手段により、前記課題を解決する。
すなわち、請求項１の発明は、サーバー装置とクライアント装置がネットワーク接続されて構成されるチラシ流用商品指定システムであって、
前記サーバ装置は、内蔵する記憶装置に、過去に印刷された複数のチラシ画像データと、チラシ画像上の商品の掲載領域と当該商品の識別記号を対応付けた商品値組み座標リストを前記チラシ画像データに対応させて記録しており、前記クライアント装置に過去のチラシ画像データを呼び出すためのチラシ検索画面を提供するチラシ検索画面提供手段と、前記検索したチラシ画像データをクライアント装置に提供するためのチラシ画像データ提供手段と、前記クライアント装置が発信する座標データを受けて、前記商品値組み座標リストを参照して、商品識別記号を特定するための商品識別記号特定手段と、特定した商品識別記号を一時的に保持し、保持した商品識別記号から流用商品リストを作成する流用商品リスト作成手段と、を備えたサーバー装置であって、
前記クライアント装置は、前記サーバ装置のチラシ画像データ提供手段から提供されたチラシ画像データを表示するチラシ画像表示手段と、作業者が表示されたチラシ画面上で流用商品を指示した時の座標位置を検出して、この座標データを前記サーバー装置に送信するとともに流用商品指示の終了を通知する値組位置指定手段と、を備えたクライアント装置であって、
クライアント装置に作業者が選択したチラシ画像データを表示させ、作業者が表示画面上の商品値組位置を指示することで、前記商品識別記号特定手段が商品識別記号を特定し、作業者が流用商品リスト作成を指示すると、前記流用商品リスト作成手段が保持していた商品識別記号に基づき、流用商品リストを出力するチラシ流用商品指定システムである。
【０００７】
請求項２の発明は、過去に印刷されたチラシ画像データからチラシ画像上の商品の掲載領域と当該商品の識別記号を対応付けた商品値組み座標リストを作成する商品値組み座標リスト作成手段を備えた請求項１に記載のチラシ流用商品指定システムである。
【０００８】
請求項３の発明は、チラシの印刷用データからチラシ画像データを作成するステップ、
チラシの印刷用データからチラシ画像上の商品の掲載領域と当該商品の識別記号を対応付けた商品値組み座標リストを作成するステップ、前記チラシ画像データを作業者が使用するクライアント装置に転送するステップ、作業者が、前記チラシ画像データを前記クライアント装置のディスプレイ画面に表示するステップ、作業者がディスプレイ画面上に指示した1つ以上の位置情報を受付けるステップ、受付けた位置情報を前記商品値組み座標リストの内容と照合して、商品識別記号を特定するステップ、特定した商品識別記号から流用商品リストを作成するステップを含んだ手順でなされるチラシ流用商品指定方法である。
【０００９】
ここで「チラシ画像データ」とは、ＤＴＰ編集ソフトウエア等で作成した編集データをＪＰＥＧ画像データのような１枚のビットマップ画像データに変換したものを指している。
【発明の効果】
【００１０】
本願発明によれば、過去のチラシから、流用商品を指定するにあたって、商品情報データベースシステムに過去チラシの商品値組情報や商品情報のデータが登録されていなくても、商品値組座標リストデータと画面表示用画像データとを用いた流用指示作業により流用商品リストの作成を可能にすることで、チラシ商品情報の準備作業やチラシ作成作業の作業能率が向上する。
【発明を実施するための最良の形態】
【００１１】
以下、図面等を参照しながら、本発明の実施の形態について、更に詳しく説明する。
まず、はじめに、本発明のチラシ流用商品指定システムの基本構成を説明する。
図１は、本発明によるチラシ流用商品指定システムを用いたチラシ製作の全体図である。
【００１２】
チラシ流用商品指定システム（１５）は、新しいチラシを製作する際に、過去のチラシから流用する商品を指定するものである。つまり、チラシ画像データ（１４ａ）を用いた表示画面の中にある流用商品をクリックすることで、流用する商品を指定して、商品値組座標リスト（１４ｂ）を用いることで、流用商品名を特定して、流用商品リスト（１６）作成する。次に、新しいチラシを作成するときに、前記の流用商品リスト（１６）と別途作成した新規商品リスト（１７）を用いて、商品情報を自動的に呼出（１９）して、チラシの製作（１０）に入る。
【００１３】
ところで、チラシ画像データ（１４ａ）と、商品値組座標リスト（１４ｂ）は、チラシ印刷用データ（１１）から、それぞれ、チラシ画像データ作成手順（１３）と商品値組座標リスト作成手順（１２）に従って、予め、作成しておく。  また、新規商品リスト（１７）は、新しいチラシで使用する新規の商品情報のリストを新規商品リスト作成システム（１８）を用いて、作成する。
【００１４】
（第１実施形態）
図２は、本発明によるチラシ流用商品指定システムの全体構成図である。
チラシ流用商品指定システムは、サーバ装置（２０）とクライアント装置（２７）とで構成する。
サーバ装置は、過去チラシの紙面を画面に表示するためのチラシ画像データ（２１）と、流用商品を特定するための商品値組座標リストデータ（２２）と、過去チラシの中から特定のチラシを選び出すためのチラシ一覧画面をクライアント装置に提供する検索画面提供手段（２３）と、クリッカブルマップＨＴＭＬタグを付加してある前記のチラシ画像データ（２１）をクライアント装置（２７）に提供するチラシ画像データ提供手段（２４）とクライアント装置（２７）が特定した流用商品の情報に商品値組座標リストデータを処理して商品ＩＤを特定する商品ＩＤ特定手段（２５）と、特定した商品ＩＤを保持（２５ａ）しておき、流用商品の指示が全て終了した時に、特定した商品ＩＤから流用商品リストを作成する流用商品リスト作成手段（２６）と、流用商品リスト作成手段（２６）から生成した流用商品リストデータ（２６ａ）とから構成する。尚、サーバー装置は、商品値組み座標リスト作成手段（３０）を備えていることが望ましい。商品値組み座標リスト作成手段（３０）は、ＤＴＰ編集ソフトで作成され印刷用データを読み込んで商品値組み座標リストを作成するプログラムである。
【００１５】
クライアント装置（２７）は、チラシ画像データ提供手段（２４）から提供を受けたチラシ画像データをクライアント装置に備えられているディスプレイに表示するチラシ画像表示手段（２８）と、表示したチラシ画像上で作業者が指示した流用商品の値組位置をサーバー装置に通知する値組位置指定手段（２９）とから構成する。このチラシ画像表示手段２８、値組位置指定手段（２９）は、実際には後述するように、ＨＴＭＬデータに記述されるタグとＷＷＷブラウザの機能により実現する。
【００１６】
次に、フローチャートを使って、作業の詳細を説明する。
図３は、流用商品リストの作成の実施形態を示すフローチャートである。
全てのＪＰＥＧ形式のチラシ画像データそれぞれを呼び出してクライアント装置に表示させるためのＨＴＭＬデータを用意する。このＨＴＭＬデータには、たとえば、次のように、
<a href="cserver.jsp"><img src=" c-2003zen01.jpg" ismap></a>
とＨＴＭＬタグが、予め、記述してある。
この記述の例では、ＪＰＥＧ画像「c-2003zen01.jpg」をサーバー装置から取り込んで表示するとともに、ブラウザ画面のクリック座標値を検知「ismap」して、サーバ装置のプログラム「cserver.jsp」にその値を知らせるということを示している。
【００１７】
本システムによる流用商品指示作業を図３のフローチャートに従ってに説明する。
（１）アクセスを受けたサーバー装置は、過去のチラシの一覧をクライアント装置のブラ      ウザに表示する。（Ｓ１０）
（２）クライアント装置は、過去のチラシの一覧から作業に使用するチラシを選択する。      （Ｓ１１）
（３）サーバ装置は、選択したＪＰＥＧ形式のチラシ画像データを呼び出すＨＴＭＬデー      タをクライアント装置に提供する。尚このＨＴＭＬデータには、流用商品指示作業      の終了をサーバー装置に通知するボタンインターフェースを表示するためのタグも      含まれている（Ｓ１２）。
（４）ＪＰＥＧ形式のチラシ画像データをクライアント装置のブラウザに表示する。（Ｓ      １３）
（５）作業者は、流用する商品画像または商品値組みをクリックする。（Ｓ１４）
（６）ＨＴＭＬタグ「ismap」が指定されていることから、ＷＷＷブラウザは、クリック      された座標値を検知する。（Ｓ１５）
前記の画面座標値は、前記のＨＴＭＬタグで指定したサーバ装置のプログラム「cs      erver.jsp」に送られる。
（７）サーバ装置のプログラムserver.jspは、画面の座標値を紙面チラシの座標値に変換      する。（Ｓ１６）
なお、プログラムserver.jspは、変換に必要な位置補正量（スクロールによる移動      量）があれば、クライアント装置から（ＷＷＷブラウザから）同時に取得する。
（８）変換された紙チラシの座標値に基づいて、商品値組座標リスト（６０）を参照して      、商品情報を検索すると、商品ＩＤが検知される。（Ｓ１７）
（９）検知した商品Ａの商品ＩＤをセッション変数、若しくは、クッキーに記憶する。（      Ｓ１８）
（１０）次の流用商品画像があれば、（２）に戻る。（Ｓ１９）
（１１）流用商品の選択を繰り返すと、セッション変数、若しくは、クッキーには、ＩＤ      が累積して記憶する。
（１２）流用作業が終了したら、作業者は流用商品指示作業の終了をサーバー装置に通知      するボタンをクリックしてサーバ装置に流用商品リスト作成の指示をする。（Ｓ２      ０）
（１３）サーバー装置の流用商品リスト作成手段２６は、セッション変数、若しくは、ク      ッキーに累積して記録された商品ＩＤから、流用商品リストを作成する。（Ｓ２１      ）
（１４）流用商品リストをサーバー装置に登録する。（Ｓ２２）
【００１８】
図４は、本発明によるチラシ流用商品指定システムのサーバ装置装置とクライアント装置との構成と処理の流れの実施形態を示す模式図である。
まず、サーバ装置（４９）は、検索画面提供手段（４１）により、過去チラシ一覧画面をクライアント装置（４０）のブラウザ（４２）に提供する。次に、クライアント装置（４０）のブラウザ（４２）で表示した、過去チラシ一覧の中から特定のチラシを検索して選択することで、過去チラシを特定する。尚、検索画面提供手段（４１）、チラシ画像データ提供手段（４３）、商品ＩＤ特定手段（４５）、流用商品リス地作成手段（４７）はいずれもクライアント装置のＷＷＷブラウザとデータのやり取りを行なう。したがって、これら各手段の一部または全部を実現するため、または、これらの手段を適当なタイミングで必要なパラメータ情報を与えて呼出すために、サーバー装置はＷＷＷサーバー機能を備えているものとする。
【００１９】
次に、サーバ装置（４９）は、チラシ画像データ提供手段（４３）により、クライアント装置（４０）が特定した過去チラシの画像データ（４３ａ）（予め、クリッカブルマップＨＴＭＬタグが付加してある）を、クライアント装置（４０）に提供する。そして、クライアント装置は、チラシ画像表示手段（４４）により、サーバ装置（４９）からチラシ画像データを受け取り、表示する。
【００２０】
次に、クライアント装置（４０）は、値組位置指定手段（４６）により、ブラウザ（４２）に表示したチラシ画像中の特定の流用商品を指定することで、ブラウザ画面座標を、サーバ装置（４９）に、通知する。一方、サーバ装置（４９）は、商品ＩＤ特定手段（４５）により、クライアント装置（４０）から通知された位置座標と商品値組座標リストデータ（４５ａ）から、商品ＩＤを特定する。そして、サーバ装置（４９）は、特定した商品ＩＤを、セッション変数か、クッキー（４５ｂ）に保持する。なお、クライアント装置（４０）は、流用商品の指定が全て終了するまで、この流用商品指定作業を繰り返して商品ＩＤを特定し、同時に、サーバ装置は、商品ＩＤをセッション変数か、クッキー（４５ｂ）に追加保持する。
【００２１】
最後に、サーバ装置（４９）は、流用商品の指定が全て終了したら、クライアント装置（４０）のリスト作成指示（４８）に従って、流用商品リスト作成手段（４７）により、セッション変数かクッキーに保持した商品ＩＤから流用商品リスト（４７ａ）を作成して、保存する。
【００２２】
図５は、流用商品をクリックすることを示す画面例である。
ＷＥＢ画面（５０）には、チラシ画像データ（５１）が表示されている。流用商品として、商品Ａ（５２）を指定するときは、カーソル（５３）を商品Ａの位置まで移動して、クリックする。他に、流用する商品があれば、同様に、カーソル（５３）を商品の位置まで移動して、クリックする。最後に、全ての流用商品の指定が終わり、リスト作成ボタン（５４）を押すことで、流用商品リストファイルを作成することができる。
【００２３】
図６は、流用商品リストファイル構成例である。
流用商品リスト（６０）は、商品ＩＤ、商品名などで構成する。新しいチラシを製作するときには、商品ＩＤや商品名を手がかりにして、過去チラシの商品情報データから、所望のデータを検索できる。
【００２４】
次に、チラシ画像データからチラシ画像上の商品の掲載領域と当該商品の識別記号を対応付けた商品値組み座標リスト（１００）を作成する商品値組み座標リスト作成手段について説明する。
図７は、ＤＴＰ編集ソフトで作成されたチラシ印刷用データ（７０）の構成例である。
チラシ印刷用データは、画像データ・オブジェクト（７１）、テキストデータ・オブジェクト（７２）、矩形データ・オブジェクト（７３）などから構成されている。画像データ・オブジェクト（７１）は、商品写真データであり、画像ＩＤ、画像部分の左上右下の座標値、画像データのサイズ、オペレータ追加属性欄（７５）と画像データ等から成る。テキストデータ・オブジェクト（７２）は、文字データであり、テキストＩＤ、文字割付、色、スタイル、オペレータ追加属性欄（７５）とテキストの内容、などが記述されている。矩形データ・オブジェクト（７３）は、色帯データであり、矩形ＩＤ、座標値、矩形の色、矩形のスタイル、オペレータ追加属性欄（７５）等から成る。
【００２５】
ここで、過去のチラシ印刷用データ（７０）から、商品値組座標リスト（１００）を作成する手順を簡単に説明する。
まず、オペレータは、ＤＴＰ編集ソフトに標準で備えられているコマンドを利用して通常の編集作業を進める。編集作業の進行に応じて各種オブジェクト（７１，７２，７３）が作成されるが、これらの個々のオブジェクトと商品ＩＤの対応をとるために、各オブジェクトには、オペレータ追加属性欄が設けられており、オペレータは、作成するオブジェクトのオペレータ追加属性の値として商品ＩＤを設定するコマンドを利用して、各オブジェクトに商品ＩＤ情報を追加する。これにより、値組を構成する各印刷データの組合せが明確になる。
【００２６】
このようにして作成されたチラシ印刷用データ（７０）から、オペレータ追加属性（７５）の値が同じ商品名の割付データ（座標値や文字割付）を抽出して、値組の割付領域を算出して、商品の値組座標座標データ（左上、右下）を求め、商品ＩＤ、商品名、値組座標データ等から、商品値組座標リスト（１００）を作成するプログラムを作成することができる。商品値組み座標リスト作成手段（３０）はこのようなプログラムとして実現できる。
【００２７】
図８は、ＤＴＰにより編集した印刷用データ（７０）から、製版、印刷工程を経て、出来あがったチラシの紙面イメージ（８０）である。６点の商品を掲載したチラシで、商品１点の商品情報は、商品写真画像部(８１)と、商品名称、商品価格などのテキスト部（８２）とを合わせた商品値組を示している。
【００２８】
図９は、印刷用データ（７０）からＪＰＥＧ形式のチラシ画像データを作成する手順を説明する模式図である。過去のチラシ印刷用データ（７０）から、JPEG形式のチラシ画像データを作成する手順を簡単に説明する。たとえば、IllustratorR（Adobe登録商標）のチラシ印刷用データ（７０、９２）を用いる場合には、まず、IllustratorR（９３）を用いて、印刷用データからＰＤＦ（Adobeが提唱する文書ファイルの形式）ファイルを作成（９４）して、次に、それをPhotoshopR（Adobe登録商標）（９５）で読み込んで、表示した画像を保存形式としてＪＰＥＧ形式で保存を選択して（９６）保存すれば、容易に作成できる。
【００２９】
このときに、チラシ・イメージを７２dpiの画像密度で、JPEGフォーマットに変換することで、チラシ画像の画素位置が、印刷で用いる長さ単位であるポイント値に対応することになり、画面と紙面の座標が１対１に対応する。
【００３０】
図１０は、商品値組座標リストのファイル構成図である。
商品値組座標リストデータ（１００）は、商品名、商品ＩＤ、値組座標（左上、右下）などから構成されている。
【００３１】
以上詳しく説明したように、請求項１の発明によれば、過去のチラシで使用した商品情報を流用するときに、商品情報ＤＢシステムに流用する商品情報を、登録しなくても、商品値組座標リストとチラシ画像データデータを提供するサーバ装置と、流用商品の指示作業を行うクライアント装置とを提供することで、画面の上で、カーソルとマウスで指定するだけで、流用商品リストを作成できるので、流用指示作業の作業効率が向上する。また、請求項２の発明は、サーバー装置が商品値組み座標リスト作成手段（３０）をも備えた構成のチラシ流用商品指定システムであり、作業性がさらに向上する。請求項３に記載の発明については、請求項1に記載の発明であるチラシ流用商品指定システム１５の動作および処理手順を説明する中で述べた。
【図面の簡単な説明】
【００３２】
【図１】チラシ製作処理の全体を説明する模式図。
【図２】本発明によるチラシ商品流用指定システムの模式図。
【図３】本発明による流用商品リストの作成を示すフローチャート。
【図４】本発明によるサーバ装置とクライアント装置との処理の流れ。
【図５】本発明によるＷＥＢブラウザ上のＪＰＥＧチラシ画像と、流用商品をクリック          することを示す画面。
【図６】本発明による流用商品リストデータの構造。
【図７】チラシ印刷用データの構造。
【図８】チラシの紙面を示す概念図。
【図９】チラシ画像データの作成手順と表面図。
【図１０】本発明によるチラシの商品値組座標リストデータの構造。
【符号の説明】
【００３３】
１５  チラシ流用商品指定システム
１３  チラシ画像データ作成
１２  商品値組座標リスト作成
１１  チラシ印刷用データ
７０  チラシ印刷用データ
１４ａ  チラシ画像データ
２２  チラシ画像データ
４３ａ  チラシ画像データ
１４ｂ  商品値組座標リストデータ
２１  商品値組座標リストデータ
４５ａ  商品値組座標リストデータ
７０  商品値組座標リストデータ
１６  流用商品リストデータ
４７ａ  流用商品リストデータ
６０  流用商品リストデータ
１７  新規商品リストデータ
１８  新規商品リスト作成システム
１９  商品情報データ呼出
１０  チラシの製作
２０  サーバ装置
４９  サーバ装置
２３  検索画面提供手段
４１  検索画面提供手段
２４  チラシ画像データ提供手段
４３  チラシ画像データ提供手段
２５  商品ＩＤ特定手段
５  商品ＩＤ特定手段
２６  流用商品リスト作成手段
４７  流用商品リスト作成手段
３０  商品値組座標リスト作成手段
４５１  商品値組座標リスト作成手段
２７  クライアント装置
４０  クライアント装置
２８  チラシ画像表示手段
４４  チラシ画像表示手段
２９  値組位置指定手段
４６  値組位置指定手段
５０  ＷＥＢブラウザ画面
５１  チラシ紙面
８０  チラシ紙面
９０  チラシ紙面
５２  商品Ａの値組
９１  商品Ａの値組
５３  カーソル
７１  チラシ印刷用データの画像データ・オブジェクト
７２  チラシ印刷用データのテキストデータ・オブジェクト
７３  チラシ印刷用データの矩形データ・オブジェクト
７５  チラシ印刷用データのオペレータ追加属性
８１  チラシ値組の画像部
８２  チラシ値組のテキスト部
【図１】
2005338404.tif 000003
【図２】
2005338404.tif 000004
【図３】
2005338404.tif 000005
【図４】
2005338404.tif 000006
【図５】
2005338404.tif 000007
【図６】
2005338404.tif 000008
【図７】
2005338404.tif 000009
【図８】
2005338404.tif 000010
【図９】
2005338404.tif 000011
【図１０】
2005338404.tif 000012